(57)【要約】【課題】  設置の容易な空気調和機および空気調和機の設置方法を提供する。【解決手段】  空気調和機１００は、吹出しチャンバー３と、隙間閉塞パネル５と、輻射パネル１と、支持フレーム６とを備える。吹出しチャンバー３は、温度調整された空気が吹き出される吹出口３１を有し、吹出口３１が天井面ＣＬに設けられた吹出しチャンバー用開口３２を通して室内ＲＳ側に面するように配置される。隙間閉塞パネル５は、天井面ＣＬに固定され、吹出口３１と天井面ＣＬに設けられた吹出しチャンバー用開口３２との隙間を閉塞する板状の部材である。輻射パネル１は、吹出口３１を室内ＲＳ側から覆うように配置され、吹出口３１から吹き出された空気が取り込まれる空間ＩＳを構成する。また、輻射パネル１は、所定の輻射率を有し空気が透過する繊維系材料によって形成されている。そして、支持フレーム６は、隙間閉塞パネル５に支持されるように設けられ、輻射パネル１を支持する。【選択図】      図２
2006300427.tif 000002
【特許請求の範囲】
【請求項１】
温度調整された空気が吹き出される吹出口（３１）を有し、前記吹出口（３１）が天井面（ＣＬ）に設けられた開口（３２）を通して室内（ＲＳ）側に面するように配置される吹出部（３）と、
前記天井面（ＣＬ）に固定され前記吹出口（３１）と前記天井面（ＣＬ）に設けられた前記開口（３２）との隙間を閉塞する板状の隙間閉塞パネル（５）と、
前記吹出口（３１）を前記室内（ＲＳ）側から覆うように配置され、前記吹出口（３１）から吹き出された空気が取り込まれる空間（ＩＳ）を構成し、所定の輻射率を有し前記空気が透過する繊維系材料によって形成された輻射パネル（１）と、
前記隙間閉塞パネル（５）に支持されるように設けられ、前記輻射パネル（１）を支持する支持フレーム（６）と、
を備える空気調和機（１００）。
【請求項２】
前記隙間閉塞パネル（５）の端部の少なくとも一部には、前記支持フレーム（６）を固定するための固定部（５９，５０）が設けられ、
前記隙間閉塞パネル（５）と別体の前記支持フレーム（６）が前記固定部（５９，５０）を介して前記隙間閉塞パネル（５）に固定される、
請求項１または２に記載の空気調和機（１００）。
【請求項３】
前記固定部（５９，５０）には前記支持フレーム（６）と嵌合する嵌合構造が設けられる、
請求項２に記載の空気調和機（１００）。
【請求項４】
前記支持フレーム（６）の少なくとも一部は、前記隙間閉塞パネル（５）と一体的に形成される、
請求項１から３のいずれかに記載の空気調和機（１００）。
【請求項５】
前記隙間閉塞パネル（５）は樹脂製である、
請求項１から４のいずれかに記載の空気調和機（１００）。
【請求項６】
前記支持フレーム（６）は樹脂製である、
請求項１から５のいずれかに記載の空気調和機（１００）。
【請求項７】
前記隙間閉塞パネル（５）は、追加のパネル部材（５３）および別体の前記支持フレーム（６）の少なくとも一部のいずれとも合致可能な第１端部（５５）を有し前記開口（３２）の周囲に設けられる第１パネル部材（５２）を有する、
請求項１から６のいずれかに記載の空気調和機（１００）。
【請求項８】
前記隙間閉塞パネル（５）は、前記第１端部（５５）に合致する端部を有し前記第１パネル部材（５２）と組み合わされた第２パネル部材（５３）をさらに有する、
請求項７に記載の空気調和機（１００）。
【請求項９】
前記支持フレーム（６）は、前記第１端部（５５）に合致する形状を有し前記第１パネル部材（５２）と組み合わされた第１部材（６５）を有する、
請求項７に記載の空気調和機（１００）。
【請求項１０】
前記隙間閉塞パネル（５）には、複数のネジ穴が設けられる、
請求項１から９のいずれかに記載の空気調和機（１００）。
【請求項１１】
前記隙間閉塞パネル（５）には、断熱材（５１）が取り付けられる、
請求項１から１０のいずれかに記載の空気調和機（１００）。
【請求項１２】
前記空気の温度調整を行い前記吹出部（３）へと送る温度調整ユニット（２）をさらに備える、
請求項１から１１のいずれかに記載の空気調和機（１００）。
【請求項１３】
前記温度調整ユニット（２）は、天井裏（ＣＳ）に配置され前記開口（３２）の上方に位置する、
請求項１２に記載の空気調和機（１００）。
【請求項１４】
前記支持フレーム（６）の周囲を外側から覆う外フレーム（７）をさらに備える、
請求項１から１３のいずれかに記載の空気調和機（１００）。
【請求項１５】
天井面（ＣＬ）に設置される輻射パネル（１）によって室内（ＲＳ）の温度調節を行う空気調和機（１００）の設置方法であって、
温度調整された空気が吹き出される吹出口（３１）を有する吹出部（３）が、前記天井面（ＣＬ）に設けられた開口（３２）を通して前記吹出口（３１）が前記室内（ＲＳ）側に面するように配置される吹出部設置ステップ（Ｓ４）と、
前記吹出口（３１）と前記天井面（ＣＬ）に設けられた前記開口（３２）との隙間を閉塞する板状の隙間閉塞パネル（５）が前記天井面（ＣＬ）に固定される隙間閉塞パネル固定ステップ（Ｓ８，Ｓ１０，Ｓ１２，Ｓ２０）と、
前記輻射パネル（１）を支持し前記隙間閉塞パネル（５）とは別体の支持フレーム（６）の少なくとも一部が前記隙間閉塞パネル（５）に固定される支持フレーム固定ステップ（Ｓ７，Ｓ９，Ｓ１１，Ｓ１６−Ｓ１９）と、
前記吹出口（３１）から吹き出された空気が取り込まれる空間（ＩＳ）を構成し、所定の輻射率を有し前記空気が透過する繊維系材料によって形成された輻射パネル（１）が前記吹出口（３１）を前記室内（ＲＳ）側から覆うように前記支持フレーム（６）に固定される輻射パネル設置ステップ（Ｓ１４，Ｓ２２）と、
を備える空気調和機（１００）の設置方法。
【請求項１６】
天井面（ＣＬ）に設置される輻射パネル（１）によって室内（ＲＳ）の温度調節を行う空気調和機（１００）の設置方法であって、
温度調整された空気が吹き出される吹出口（３１）を有する吹出部（３）が、前記天井面（ＣＬ）に設けられた開口（３２）を通して前記吹出口（３１）が前記室内（ＲＳ）側に面するように配置される吹出部設置ステップ（Ｓ４）と、
前記輻射パネル（１）を支持する支持フレーム（６）の少なくとも一部が一体的に設けられ、前記吹出口（３１）と前記天井面（ＣＬ）に設けられた前記開口（３２）との隙間を閉塞する板状の隙間閉塞パネル（５）が前記天井面（ＣＬ）に固定される隙間閉塞パネル固定ステップ（Ｓ８，Ｓ１０，Ｓ１２，Ｓ２０）と、
前記吹出口（３１）から吹き出された空気が取り込まれる空間を構成し、所定の輻射率を有し前記空気が透過する繊維系材料によって形成された輻射パネル（１）が前記吹出口（３１）を前記室内（ＲＳ）側から覆うように前記支持フレーム（６）に固定される輻射パネル設置ステップ（Ｓ１４，Ｓ２２）と、
を備える空気調和機（１００）の設置方法。
【発明の詳細な説明】
【技術分野】
【０００１】
本発明は、空気調和機および空気調和機の設置方法に関する。
【背景技術】
【０００２】
所定の輻射率を有する織布等で形成された輻射パネルに温度調整された空気を送り、輻射パネルからの輻射と、輻射パネルから吹き出される空気の吹き出しとによって室内の温度調整を行う空気調和機が公開されている（特許文献１参照）。
【特許文献１】特開２００４−２７１０５７
【発明の開示】
【発明が解決しようとする課題】
【０００３】
上記のような輻射パネルを天井面に設置するとき、輻射パネルを支持する支持フレームを天井面近傍に取り付ける必要がある。しかし、支持フレームはどこにでも取り付け可能とは限らず、天井面の構造によっては取付位置が制限される場合がある。この場合、支持フレームの天井面近傍への取付が困難となり、輻射パネルの設置が困難になる。
本発明の課題は、設置の容易な空気調和機および空気調和機の設置方法を提供することにある。
【課題を解決するための手段】
【０００４】
第１発明にかかる空気調和機は、吹出部と、隙間閉塞パネルと、輻射パネルと、支持フレームとを備える。吹出部は、温度調整された空気が吹き出される吹出口を有し、吹出口が天井面に設けられた開口を通して室内側に面するように配置される。隙間閉塞パネルは、天井面に固定され、吹出口と天井面に設けられた開口との隙間を閉塞する板状の部材である。輻射パネルは、吹出口を室内側から覆うように配置され、吹出口から吹き出された空気が取り込まれる空間を構成する。また、輻射パネルは、所定の輻射率を有し空気が透過する繊維系材料によって形成されている。そして、支持フレームは、隙間閉塞パネルに支持されるように設けられ、輻射パネルを支持する。
【０００５】
この空気調和機では、支持フレームが隙間閉塞パネルに支持される。隙間閉塞パネルは板状の形状を有するため、天井面への固定の自由度が高い。例えば、隙間閉塞パネルがネジによって天井面に固定される場合、ネジが通される部分の選択の幅が広く、天井面の固定にとって適切な部分にネジを通すことが容易である。従って、隙間閉塞パネルに支持される支持フレームの設置も容易である。これにより、この空気調和機では、設置を容易に行うことができる。
【０００６】
第２発明にかかる空気調和機は、第１発明の空気調和機であって、隙間閉塞パネルの端部の少なくとも一部には、支持フレームを固定するための固定部が設けられる。そして、隙間閉塞パネルと別体の支持フレームが、固定部を介して隙間閉塞パネルに固定される。
この空気調和機では、別体の支持フレームが固定部を介して隙間閉塞パネルに固定されることにより、支持フレームが隙間閉塞パネルに支持される。
【０００７】
第３発明にかかる空気調和機は、第２発明の空気調和機であって、固定部には支持フレームと嵌合する嵌合構造が設けられる。
この空気調和機では、固定部が支持フレームと嵌合する。これにより、簡易且つ強固に支持フレームを隙間閉塞パネルに固定することができる。
第４発明にかかる空気調和機は、第１発明から第３発明のいずれかの空気調和機であって、支持フレームの少なくとも一部は、隙間閉塞パネルと一体的に形成される。
【０００８】
この空気調和機では、支持フレームの少なくとも一部が隙間閉塞パネルと一体的に形成されることにより、支持フレームが隙間閉塞パネルに支持される。
第５発明にかかる空気調和機は、第１発明から第４発明のいずれかの空気調和機であって、隙間閉塞パネルは樹脂製である。
この空気調和機では、隙間閉塞パネルが樹脂製であることにより、隙間閉塞パネルを軽量化することができる。
【０００９】
第６発明にかかる空気調和機は、第１発明から第５発明のいずれかの空気調和機であって、支持フレームは樹脂製である。
この空気調和機では、支持フレームが樹脂製であることにより、支持フレームを軽量化することができる。
第７発明にかかる空気調和機は、第１発明から第６発明のいずれかの空気調和機であって、隙間閉塞パネルは、第１パネル部材を有する。第１パネル部材は、追加のパネル部材および別体の支持フレームの一部のいずれとも合致可能な第１端部を有し、開口の周囲に設けられる。
【００１０】
この空気調和機では、第１パネル部材の第１端部が、追加のパネル部材および支持フレームの少なくとも一部のいずれとも合致可能である。このため、大きな隙間閉塞パネルが必要な場合には、第１パネル部材の第１端部に追加のパネル部材を追加することにより対応することができる。また、追加のパネル部材が不要な場合には、第１端部に支持フレームで閉じることができる。これにより、この空気調和機では、隙間閉塞パネルの大きさの変更に容易に対応することができる。
【００１１】
第８発明にかかる空気調和機は、第７発明の空気調和機であって、隙間閉塞パネルは第２パネル部材をさらに有する。第２パネル部材は、第１端部に合致する端部を有し、第１パネル部材と組み合わされる。
この空気調和機では、第１パネル部材に第２パネル部材が追加されている。このため、第１パネル部材と第２パネル部材とが合わさった比較的大きな隙間閉塞パネルを設けることができる。
【００１２】
第９発明にかかる空気調和機は、第７発明の空気調和機であって、支持フレームは第１部材を有する。第１部材は、第１端部に合致する形状を有し、第１パネル部材と組み合わされる。
この空気調和機では、第１パネル部材の第１端部と支持フレームの第１部材とが組み合わされる。このため、第１パネル部材の第１端部が第１部材によって閉じられる。これにより、比較的小さな隙間閉塞パネルを設けることができる。
【００１３】
第１０発明にかかる空気調和機は、第１発明から第９発明のいずれかの空気調和機であって、隙間閉塞パネルには、複数のネジ穴が設けられる。
この空気調和機では、隙間閉塞パネルには複数のネジ穴が設けられる。このため、天井面への固定のために適切な位置にあるネジ穴を利用してネジ止めを行うことができる。これにより、隙間閉塞パネルを容易に天井面に固定することができる。
【００１４】
第１１発明にかかる空気調和機は、第１発明から第１０発明のいずれかの空気調和機であって、隙間閉塞パネルには、断熱材が取り付けられる。
この空気調和機では、断熱材が取り付けられることにより、熱効率が向上すると共に天井面での結露の発生を抑えることができる。また、断熱材が隙間閉塞パネルに取り付けられることにより、断熱材の取付が容易である。
【００１５】
第１２発明にかかる空気調和機は、第１発明から第１１発明のいずれかの空気調和機であって、空気の温度調整を行い吹出部へと送る温度調整ユニットをさらに備える。
この空気調和機では、温度調整ユニットで温度調整された空気が吹出部の吹出口を通って輻射パネルが構成する空間へと送られる。
第１３発明にかかる空気調和機は、第１２発明の空気調和機であって、温度調整ユニットは、天井裏に配置され開口の上方に位置する。
【００１６】
この空気調和機では、温度調整ユニットが天井裏に配置される。このため、温度調整ユニットが室内の居住者等の目に触れることが防止され、美観を向上させることができる。
第１４発明にかかる空気調和機は、第１発明から第１３発明のいずれかの空気調和機であって、支持フレームの周囲を外側から覆う外フレームをさらに備える。
この空気調和機では、外フレームが支持フレームの外側を覆うことによって、輻射パネルと支持フレームとの支持部分を隠蔽することができる。これにより、美観を向上させることができる。
【００１７】
第１５発明にかかる空気調和機の設置方法は、天井面に設置される輻射パネルによって室内の温度調節を行う空気調和機の設置方法であって、吹出部設置ステップと、隙間閉塞パネル固定ステップと、支持フレーム固定ステップと、輻射パネル設置ステップとを備える。吹出部設置ステップでは、温度調整された空気が吹き出される吹出口を有する吹出部が、天井面に設けられた開口を通して吹出口が室内側に面するように配置される。隙間閉塞パネル固定ステップでは、吹出口と天井面に設けられた開口との隙間を閉塞する板状の隙間閉塞パネルが天井面に固定される。支持フレーム固定ステップでは、輻射パネルを支持し隙間閉塞パネルとは別体の支持フレームの少なくとも一部が隙間閉塞パネルに固定される。輻射パネル設置ステップでは、吹出口から吹き出された空気が取り込まれる空間を構成し、所定の輻射率を有し空気が透過する繊維系材料によって形成された輻射パネルが吹出口を室内側から覆うように支持フレームに固定される。
【００１８】
この空気調和機の設置方法では、隙間閉塞パネルが天井面に固定され、支持フレームが隙間閉塞パネルに固定される。隙間閉塞パネルは板状の形状を有するため、天井面への固定の自由度が高い。例えば、隙間閉塞パネルがネジによって天井面に固定される場合、ネジが通される部分の選択の幅が広く、天井面の固定にとって適切な部分にネジを通すことが容易である。従って、隙間閉塞パネルに固定される支持フレームの設置も容易である。これにより、この空気調和機の設置方法では、設置を容易に行うことができる。
【００１９】
第１６発明にかかる空気調和機の設置方法は、天井面に設置される輻射パネルによって室内の温度調節を行う空気調和機の設置方法であって、吹出部設置ステップと、隙間閉塞パネル固定ステップと、輻射パネル設置ステップとを備える。吹出部設置ステップでは、温度調整された空気が吹き出される吹出口を有する吹出部が、天井面に設けられた開口を通して吹出口が室内側に面するように配置される。隙間閉塞パネル固定ステップでは、輻射パネルを支持する支持フレームの少なくとも一部が一体的に設けられ、吹出口と天井面に設けられた開口との隙間を閉塞する板状の隙間閉塞パネルが天井面に固定される。輻射パネル設置ステップでは、吹出口から吹き出された空気が取り込まれる空間を構成し、所定の輻射率を有し空気が透過する繊維系材料によって形成された輻射パネルが吹出口を室内側から覆うように支持フレームに固定される。
【００２０】
この空気調和機の設置方法では、支持フレームが隙間閉塞パネルと一体であり、隙間閉塞パネルが天井面に固定される。隙間閉塞パネルは板状の形状を有するため、天井面への固定の自由度が高い。例えば、隙間閉塞パネルがネジによって天井面に固定される場合、ネジが通される部分の選択の幅が広く、天井面の固定にとって適切な部分にネジを通すことが容易である。従って、隙間閉塞パネルに一体的に設けられた支持フレームの設置も容易である。これにより、この空気調和機の設置方法では、設置を容易に行うことができる。
【発明の効果】
【００２１】
第１発明にかかる空気調和機では、隙間閉塞パネルは板状の形状を有するため、天井面への固定の自由度が高い。従って、隙間閉塞パネルに支持される支持フレームの設置も容易である。これにより、この空気調和機では、設置を容易に行うことができる。
第２発明にかかる空気調和機では、別体の支持フレームが固定部を介して隙間閉塞パネルに固定されることにより、支持フレームが隙間閉塞パネルに支持される。
【００２２】
第３発明にかかる空気調和機では、固定部が支持フレームと嵌合することにより、簡易且つ強固に支持フレームを隙間閉塞パネルに固定することができる。
第４発明にかかる空気調和機では、支持フレームの少なくとも一部が隙間閉塞パネルと一体的に形成されることにより、支持フレームが隙間閉塞パネルに支持される。
第５発明にかかる空気調和機では、隙間閉塞パネルが樹脂製であることにより、隙間閉塞パネルを軽量化することができる。
【００２３】
第６発明にかかる空気調和機では、支持フレームが樹脂製であることにより、支持フレームを軽量化することができる。
第７発明にかかる空気調和機では、隙間閉塞パネルの大きさの変更に容易に対応することができる。
第８発明にかかる空気調和機では、第１パネル部材と第２パネル部材とが合わさった比較的大きな隙間閉塞パネルを設けることができる。
【００２４】
第９発明にかかる空気調和機では、第１パネル部材の第１端部が第１部材によって閉じられ、比較的小さな隙間閉塞パネルを設けることができる。
第１０発明にかかる空気調和機では、天井面への固定のために適切な位置にあるネジ穴を利用してネジ止めを行うことができ、隙間閉塞パネルを容易に天井面に固定することができる。
【００２５】
第１１発明にかかる空気調和機では、熱効率が向上すると共に天井面での結露の発生を抑えることができる。また、断熱材の取付が容易である。
第１２発明にかかる空気調和機では、温度調整ユニットで温度調整された空気が吹出部の吹出口を通って輻射パネルが構成する空間へと送られる。
第１３発明にかかる空気調和機では、温度調整ユニットが天井裏に配置されるため、美観を向上させることができる。
【００２６】
第１４発明にかかる空気調和機では、外フレームによって輻射パネルと支持フレームとの支持部分を隠蔽することができ、美観を向上させることができる。
第１５発明にかかる空気調和機の設置方法では、隙間閉塞パネルは板状の形状を有するため、天井面への固定の自由度が高い。従って、隙間閉塞パネルに固定される支持フレームの設置も容易である。これにより、この空気調和機の設置方法では、設置を容易に行うことができる。
【００２７】
第１６発明にかかる空気調和機の設置方法では、隙間閉塞パネルは板状の形状を有するため、天井面への固定の自由度が高い。従って、隙間閉塞パネルに一体的に設けられた支持フレームの設置も容易である。これにより、この空気調和機の設置方法では、設置を容易に行うことができる。
【発明を実施するための最良の形態】
【００２８】
（第１実施形態）
＜構成＞
本発明の第１実施形態に係る空気調和機１００を図１及び図２に示す。この空気調和機１００は、天井面ＣＬに設置される輻射パネル１によって室内ＲＳの温度調節を行う空気調和機１００であり、輻射と温度調整された空気の吹き出しとによって冷暖房等の室内ＲＳの空気調和を行うことができる。なお、図１は、室内ＲＳ側からみた空気調和機１００を示しており、図２は、天井面ＣＬの構造と共に空気調和機１００の構成を示す側面断面図である。空気調和機１００は、温度調整ユニット２と吹出しチャンバー３と吸込みチャンバー４（図３（ｂ）参照）と隙間閉塞パネル５と輻射パネル１と支持フレーム６と外フレーム７とを備える。
【００２９】
〈温度調整ユニット〉
温度調整ユニット２は、ビルトイン型の室内機であり、吸込みチャンバー４から取り込まれた空気の温度調整を行い、吹出しチャンバー３を介して輻射パネル１が構成する内部空間ＩＳへと送る装置である。
温度調整ユニット２は、天井裏ＣＳに配置されており、吊りボルト２１等によって天井裏ＣＳの梁に固定されている。温度調整ユニットは、後述する吹出しチャンバー用開口３２の上方に位置している。温度調整ユニット２は、図示しない室外機との間で冷媒回路を構成しており、冷媒と空気との間で熱交換を行う。温度調整ユニット２には吸込みチャンバー４に接続される吸込みダクト４０が連結されており、吸込みチャンバー４から吸い込まれた室内ＲＳの空気が吸込みダクト４０を通って温度調整ユニット２の内部に取り込まれる。温度調整ユニット２は、内部に図示しない送風機と熱交換器とを有しており、取り込んだ空気を熱交換器に通し、冷媒との間で熱交換された空気を吹出して吹出しチャンバー３へと送る。
【００３０】
〈吹出しチャンバー〉
吹出しチャンバー３（吹出部）は、温度調整ユニット２の下面に取り付けられており、温度調整された空気が吹き出される吹出口３１を下面に有する箱状の部材である。吹出口３１は、温度調整ユニット２から吹き出され吹出しチャンバー３の内部を通って室内ＲＳへと吹き出される空気が通る開口である。吹出しチャンバー３は、その大部分が天井裏ＣＳ側に位置しており、吹出口３１が天井面ＣＬに設けられた開口（以下、「吹出しチャンバー用開口３２」という。）を通って室内ＲＳ側に面するように配置される。
【００３１】
なお、吹出しチャンバー用開口３２（開口）は、天井面ＣＬを構成する天井ボード８１をくり抜いて設けられており、室内ＲＳから天井裏ＣＳまで貫通している。吹出しチャンバー用開口３２は、吹出口３１とほぼ一致する形状であり、吹出口３１よりも若干大きく形成されている。吹出口３１は正方形の形状を有しており、吹出しチャンバー用開口３２も正方形の形状となっている。また、吹出しチャンバー用開口３２は、下方から見て輻射パネル１の中央近傍に位置している。
【００３２】
〈吸込みチャンバー〉
吸込みチャンバー４は、室内ＲＳの空気を取り込んで温度調整ユニット２へと送る部分であり、図３（ｂ）に示すように、吸込口４１を有する。吸込口４１は、吸込みチャンバー４の下面に設けられており、吸込みチャンバー４は、その大部分が天井裏ＣＳ側に位置しており、吸込口４１が天井面ＣＬに設けられた開口（以下、「吸込みチャンバー用開口４２」という（図３（ａ）参照）。）を通して室内ＲＳ側に面するように配置される。吸込みチャンバー４は、温度調整ユニット２と連結される吸込みダクト４０に連結されており、吸込みダクト４０を介して室内ＲＳから取り込んだ空気を温度調整ユニット２へと送る。
【００３３】
〈隙間閉塞パネル〉
隙間閉塞パネル５は、吹出しチャンバー用開口３２から支持フレーム６までに亘って設けられた板状の部材であり、吹出しチャンバー３の吹出口３１の縁と天井面ＣＬに設けられた吹出しチャンバー用開口３２との隙間を閉塞する。隙間閉塞パネル５は樹脂製であり、複数のネジ穴が設けられている。このネジ穴の個数は、隙間閉塞パネル５の固定に用いられる数よりも多く設定されており、ネジがネジ穴を通って下地材８２まで通されることにより、隙間閉塞パネル５が天井面ＣＬに固定される。なお、図２においては、下地材８２の１つにのみ符号を付し、他は省略している。隙間閉塞パネル５は、支持フレーム６の厚さよりも薄く、支持フレーム６と同様の長方形の外形を有する。隙間閉塞パネル５の下面には図４（ｃ）に示すように、断熱材５１が取り付けられる。隙間閉塞パネル５は、図４（ｂ）に示すように、複数のパネル部材５２−５４が組み合わされて全体として長方形の形状となっており、第１パネル部材５２と第２パネル部材５３と第３パネル部材５４とを有する。
【００３４】
〔第１パネル部材〕
第１パネル部材５２は吹出しチャンバー用開口３２の周囲に設けられ、第１パネル部材５２の中央部分には吹出しチャンバー３の吹出口３１が室内ＲＳ側に面するための開口が設けられている。この第１パネル部材５２の開口は、吹出しチャンバー用開口３２と一致するように設けられている。第１パネル部材５２は、正方形の外形を有しており、図４（ａ）に示すように、第１端部５５、第２端部５６、第３端部５７および第４端部５８を有する。各端部５５−５８は正方形の４つの辺をそれぞれ構成しており、第１端部５５と第２端部５６とが平行であり、第３端部５７と第４端部５８とが平行である。
【００３５】
第１端部５５には第１固定部５９（固定部）が設けられており、第２端部５６には第２固定部５０（固定部）が設けられている。第１固定部５９および第２固定部５０は、支持フレームを固定するための部分であると共に追加のパネル部材を固定することも可能である。すなわち、追加のパネル部材を設ける場合には、第１端部５５および第２端部５６に追加のパネル部材が固定され、追加のパネル部材が設けられない場合には第１端部５５および第２端部５６に支持フレームが固定される。第１固定部５９と第２固定部５０とにはそれぞれ支持フレーム部または追加のパネル部材と嵌合する嵌合構造が設けられている。
【００３６】
第３端部５７および第４端部５８にも、第１固定部５９および第２固定部５０と同様の固定部が設けられており、後述する第１フレーム部６１および第２フレーム部６２が一体的に固定されている。
〔第２パネル部材および第３パネル部材〕
第２パネル部材５３および第３パネル部材５４は、第１パネル部材５２に追加される追加のパネル部材である。
【００３７】
第２パネル部材５３は、長方形の外形を有しており、長方形の４つの辺をそれぞれ構成する４つの端部を有している。この４つの端部のうちの１つである第２パネル側接合部９１は、第１パネル部材５２の第１端部５５と同じ長さであり、第１端部５５と合致する形状を有している。第２パネル側接合部９１には、第１固定部５９の嵌合構造に嵌合する被嵌合構造が設けられており、第２パネル側接合部９１と第１端部５５の第１固定部５９とが嵌合することによって、第２パネル側接合部９１と第１端部５５とが固定され第１パネル部材５２と第２パネル部材５３とが組み合わされる。第２パネル部材５３の他の３つの端部には後述する第３フレーム部６３が固定されている。
【００３８】
第３パネル部材５４は、第２パネル部材５３と同様の形状を有している。第３パネル部材５４の４つの端部のうちの１つである第３パネル側接合部９２は、第１パネル部材５２の第２端部５６と同じ長さであり、第２端部５６と合致する形状を有している。第３パネル側接合部９２には、第２固定部５０の嵌合構造に嵌合する被嵌合構造が設けられており、第３パネル側接合部９２と第２端部５６の第２固定部５０とが嵌合することによって、第３パネル側接合部９２と第２端部５６とが固定され第１パネル部材５２と第３パネル部材５４とが組み合わされる。第３パネル部材５４の他の３つの端部には後述する第４フレーム部６４が固定されている。
【００３９】
〈支持フレーム〉
支持フレーム６は、樹脂から形成されており、天井面ＣＬに固定され輻射パネル１を支持する部材である。支持フレーム６は、図４（ｂ）に示すように、長方形の外形を有する枠であり、吹出しチャンバー用開口３２から所定距離離れた位置に設けられており、吹出しチャンバー用開口３２の周囲を囲むように設けられる。支持フレーム６の厚さ（鉛直方向の寸法）は、水平方向の寸法と比較して小さく、支持フレーム６は全体として鉛直方向に薄い形状となっている。支持フレーム６は、隙間閉塞パネル５の端部に嵌合し、ネジ止めにより隙間閉塞パネル５に固定される。支持フレーム６は、複数の部材６１−６４によって構成されており、第１フレーム部６１、第２フレーム部６２、第３フレーム部６３および第４フレーム部６４を有する。第１フレーム部６１、第２フレーム部６２、第３フレーム部６３および第４フレーム部６４は、隙間閉塞パネル５の端部に沿って設けられており、第１フレーム部６１、第２フレーム部６２、第３フレーム部６３および第４フレーム部６４が組み合わされて一体となることによって、長方形の枠状の形状を構成している。
【００４０】
第１フレーム部６１および第２フレーム部６２は、第１パネル部材５２の第３端部５７および第４端部５８と同じ長さの直線的な形状であり、レール状の形状を有している。第１フレーム部６１は、第１パネル部材５２の第３端部５７と合致する形状を有しており、第２フレーム部６２は、第４端部５８と合致する形状を有している。第１フレーム部６１は第３端部５７に固定され、第２フレームが第４端部５８に固定されており、それぞれ第１パネル部材５２に支持されている。第１フレーム部６１および第２フレーム部６２は、別体の第１フレーム部６１および第２フレーム部６２がネジ止め等の固定手段によって第１パネル部材５２に固定されている。
【００４１】
第３フレーム部６３は、第２パネル部材５３と組み合わされており、第２パネル部材５３の第２パネル側接合部９１を除く３つの端部に沿って設けられている。第３フレーム部６３は、第２パネル部材５３の第２パネル側接合部９１を除く３つの端部にネジ止めにより固定されており、第２パネル部材５３に支持されている。
第４フレーム部６４は、第３パネル部材５４に組み合わされており、第３パネル部材５４の第３パネル側接合部９２を除く３つの端部に沿って設けられている。第４フレーム部６４は、第３パネル部材５４の第３パネル側接合部９２を除く３つの端部にネジ止めにより固定されており、第３パネル部材５４に支持されている。
【００４２】
〈輻射パネル〉
輻射パネル１は、支持フレーム６の下面全体を覆うように下方から支持フレーム６に取り付けられ、支持フレーム６に支持される。輻射パネル１は、吹出口３１を室内ＲＳ側から覆うように配置され、天井面ＣＬから支持フレーム６の厚さに相当する距離を隔てて天井面ＣＬに略平行に配置される。これにより、輻射パネル１は、吹出口３１から吹き出された空気が取り込まれる内部空間ＩＳを構成する。すなわち、この内部空間ＩＳは、隙間閉塞パネル５、支持フレーム６および輻射パネル１によって構成されており、上方が吹出しチャンバー用開口３２を除いて隙間閉塞パネル５によって閉じられ、側方が支持フレーム６によって閉じられ、下方が輻射パネル１によって閉じられている。輻射パネル１は、空気が透過する布等の繊維系材料によって形成されている。繊維系材料としては織布が望ましいが不織布や他の繊維系材料であってもよい。また、輻射パネル１は、図１および図２に示すように、厚みの小さい平坦な形状を有している。輻射パネル１によって構成される内部空間ＩＳには、吹出口３１から温度調整された空気が送られることによって、大気圧より大きな圧力が生じる。また、輻射パネル１を形成する繊維系材料は、柔軟且つ空気が透過可能であると共に約０．９の輻射率を有する。このため、内部空間ＩＳに送られた空気は、輻射パネル１の繊維の目の隙間から穏やかに室内ＲＳへと吹出される。また、内部空間ＩＳに送られた空気によって輻射パネル１の温度が調整されることにより、輻射パネル１から輻射が生じる。これにより、穏やかな空気の吹出しと輻射とによって室内ＲＳの温度調整を行うことができる。なお、繊維系材料は伸縮性を有している。輻射パネル１は、平坦な薄型の板状の外形を呈しており、下方の室内ＲＳに対して長方形の投影形状を有している。輻射パネル１は、例えば、室内ＲＳに配置される寝具を平面的に覆う程度の大きさを有している。
【００４３】
〈外フレーム〉
外フレーム７は、輻射パネル１が取り付けられた支持フレーム６の周囲を外側から覆う枠状の部材である。外フレーム７は、支持フレーム６よりもひとまわり大きい長方形の外形を有しており、支持フレーム６とほぼ同じ厚さを有する。外フレーム７は支持フレーム６に固定されるか、又は、天井面ＣＬに固定される。外フレーム７は樹脂や木材から形成されており、例えば、木材から形成されることによって美しい木目が外観に表れ美観が向上する。
【００４４】
＜設置方法＞
この空気調和機１００を家屋に設置するときの設置方法を図３から図６に基づいて説明する。
（設置方法１）
この空気調和機１００では、異なる大きさの輻射パネル１を自在に設置することが可能であり、ここでは比較的大型の輻射パネル１が設置される場合の設置方法について説明する。
【００４５】
まず、図５に示す第１ステップＳ１において、吹出しチャンバー用開口３２が作成される。ここでは、図３（ａ）に示すように、天井面ＣＬを構成する天井ボード８１に穴が開けられ、吹出しチャンバー用開口３２が天井面ＣＬに設けられる。この吹出しチャンバー用開口３２は、吹出しチャンバー３の吹出口３１の外形程度の大きさであり、輻射パネル１および支持フレーム６より小さくてよい。また、吹出しチャンバー用開口３２は、室内ＲＳに配置された寝台の上方など、室内ＲＳのレイアウト等に合わせて設けられる。
【００４６】
第２ステップＳ２では、吸込みチャンバー用開口４２が作成される。ここでは、図３（ａ）に示すように、天井ボード８１に穴が開けられ、吸込みチャンバー用開口４２が天井面ＣＬに設けられる。また、吸込みチャンバー用開口４２は、天井面ＣＬの隅など比較的目立たない位置に設けられる。
なお、第１ステップＳ１と第２ステップＳ２とは、新築物件などのように当初から天井面ＣＬに開口が設けられる場合には省略可能である。
【００４７】
次に、第３ステップＳ３では、温度調整ユニット２が設置される。ここでは、図３（ｂ）に示すように、温度調整ユニット２が天井裏ＣＳに運び込まれ、天井裏ＣＳに配設された梁等に固定される。温度調整ユニット２は、吊りボルト２１（図１参照）などによって梁から吊り下げられて固定される。
第４ステップＳ４（吹出部設置ステップ）では、吹出しチャンバー３が設置される。ここでは、図３（ｂ）に示すように、吹出しチャンバー３が、天井面ＣＬに設けられた吹出しチャンバー用開口３２を通して吹出口３１が室内ＲＳ側に面するように配置される。吹出しチャンバー３は天井裏ＣＳに運び込まれ、吹出しチャンバー３の吹出口３１が吹出しチャンバー用開口３２に天井裏ＣＳ側から挿入されるように吹出しチャンバー３が設置される。この状態において、吹出口３１は吹出しチャンバー用開口３２から室内ＲＳ側に露出している。
【００４８】
なお、温度調整ユニット２と吹出しチャンバー３とが一体に設けられている場合には、第３ステップＳ３と第４ステップＳ４とが同時に行われてもよい。
第５ステップＳ５では、吸込みチャンバー４が設置される。ここでは、図３（ｂ）に示すように、吸込みチャンバー４が、吸込みチャンバー用開口４２を通して吸込口４１が室内ＲＳ側に面するように配置される。吸込みチャンバー４は、天井裏ＣＳに運び込まれ、吸込みチャンバー４の吸込口４１が吸込みチャンバー用開口４２に天井裏ＣＳ側から挿入されるように吸込みチャンバー４が設置される。
【００４９】
第６ステップＳ６では、吸込みダクト４０の接続が行われる。ここでは、図３（ｂ）に示すように、吸込みチャンバー４と温度調整ユニット２とが吸込みダクト４０によって接続される。なお、吸込みダクト４０は天井裏ＣＳにおいて配設される。
次に、図６に示す第７ステップＳ７（支持フレーム固定ステップ）では、第１フレーム部６１および第２フレーム部６２の固定が行われる。ここでは、図４（ａ）に示すように、第１フレーム部６１が第１パネル部材５２の第３端部５７に固定され、第２フレーム部６２が第１パネル部材５２の第４端部５８に固定される。
【００５０】
第８ステップＳ８（隙間閉塞パネル固定ステップ）では、第１パネル部材５２の固定が行われる。ここでは、図４（ａ）に示すように、第１パネル部材５２が天井面ＣＬに固定され、吹出しチャンバー３の吹出口３１と、吹出しチャンバー用開口３２との隙間が閉塞される。吹出しチャンバー用開口３２は、吹出口３１と同程度の大きさであるが、吹出しチャンバー３の設置のために、吹出口３１よりも僅かに大きく形成される。第１パネル部材５２は、この隙間を閉塞するために設けられる。第１パネル部材５２に設けられたネジ穴のうち下地材の位置に一致するネジ穴にネジが通されて第１パネル部材５２が下地材に固定される。
【００５１】
なお、第１フレーム部６１と第２フレーム部６２とが第１パネル部材５２に取り付けられた後に第１パネル部材５２が天井面ＣＬに固定されてもよく、第１パネル部材５２が天井面ＣＬに固定された後に第１フレーム部６１と第２フレーム部６２とが第１パネル部材５２に取り付けられてもよい。また、第１パネル部材５２が天井面ＣＬに固定される前に図３（ｃ）に示すように、天井面ＣＬに隙間閉塞パネル５を取り付けるための罫書き線が書かれてもよい。
【００５２】
第９ステップＳ９（支持フレーム固定ステップ）では、第３フレーム部６３の固定が行われる。ここでは、図４（ｂ）に示すように、第３フレーム部６３が第２パネル部材５３に固定される。
第１０ステップＳ１０（隙間閉塞パネル固定ステップ）では、第２パネル部材５３が固定される。ここでは、図４（ｂ）に示すように、第２パネル部材５３が天井面ＣＬに固定される。このとき、第２パネル部材５３は、第２パネル側接合部９１が第１パネル部材５２の第１端部５５に合致するように第１パネル部材５２と組み合わされる。また、第２パネル部材５３は、天井ボード８１および下地材８２にネジ止めされる。
【００５３】
第１１ステップＳ１１（支持フレーム固定ステップ）では、第４フレーム部６４の固定が行われる。ここでは、図４（ｂ）に示すように、第４フレーム部６４が第３パネル部材５４に固定される。
第１２ステップＳ１２（隙間閉塞パネル固定ステップ）では、第３パネル部材５４が固定される。ここでは、図４（ｂ）に示すように、第３パネル部材５４が天井面ＣＬに固定される。このとき、第３パネル部材５４は、第３パネル側接合部９２が第１パネル部材５２の第２端部５６に合致するように第１パネル部材５２と組み合わされる。また、第３パネル部材５４は、天井ボード８１および下地材８２にネジ止めされる。
【００５４】
なお、第３フレーム部６３が第２パネル部材５３に取り付けられた後に第２パネル部材５３が天井面ＣＬに固定されてもよく、第２パネル部材５３が天井面ＣＬに固定された後に第３フレーム部６３が第２パネル部材５３に取り付けられてもよい。第４フレーム部６４と第３パネル部材５４とに関しても同様である。
第１３ステップＳ１３では、断熱材５１が取り付けられる。ここでは、図４（ｃ）に示すように、断熱材５１が隙間閉塞パネル５の下面に固定される。断熱材５１は、吹出口３１が室内ＲＳに面するための開口を除いて隙間閉塞パネル５の下面のほぼ全面に取り付けられる。
【００５５】
第１４ステップＳ１４（輻射パネル設置ステップ）では、輻射パネル１が設置される。ここでは、輻射パネル１が、図２および図４（ｄ）に示すように、吹出口３１を室内ＲＳ側から覆うように支持フレーム６に固定される。輻射パネル１は、弛みが生じないように張った状態で固定される。
第１５ステップＳ１５では、外フレーム７の取付が行われる。ここでは、図４（ｅ）に示すように、外フレーム７が、支持フレーム６および輻射パネル１の外周に取り付けられる。
【００５６】
なお、上記第１ステップＳ１から第１０ステップＳ１５までの工程は、可能であれば必要に応じて順番が入れ替わってもよい。
（設置方法２）
次に、比較的小型の輻射パネル１が設置される場合の設置方法について説明する。第１ステップＳ１から第６ステップＳ６までの工程については上記設置方法１と同様である。この設置方法２では、第６ステップＳ６の次に図７に示す第１６ステップＳ１６に進む。以下、図７および図８に基づいて説明する。
【００５７】
第１６ステップＳ１６では、第１フレーム部６１の固定が行われる。ここでは、図８（ａ）に示すように、第１フレーム部６１が第１パネル部材５２の第３端部５７に固定される。
第１７ステップＳ１７では、第２フレーム部６２の固定が行われる。ここでは、図８（ａ）に示すように、第２フレーム部６２が第１パネル部材５２の第４端部５８に固定される。
【００５８】
第１８ステップＳ１８では、第５フレーム部６５（第１部材）の固定が行われる。ここでは、図８（ａ）に示すように、第５フレーム部６５が第１パネル部材５２の第１端部５５に固定される。第５フレーム部６５は、第１フレーム部６１および第２フレーム部６２と同様の直線状の形状であり、第１パネル部材５２の第３端部５７に合致する形状である。第５フレーム部６５は、第１固定部５９の嵌合構造に嵌合する被嵌合構造を有しており、第５フレーム部６５の被嵌合構造と第１固定部５９の嵌合構造とが嵌合した状態でネジ止めされ第１パネル部材５２と第５フレーム部６５とが固定される。
【００５９】
第１９ステップＳ１９では、第６フレーム部６６の固定が行われる。ここでは、図８（ａ）に示すように、第６フレーム部６６が第１パネル部材５２の第２端部５６に固定される。第６フレーム部６６は、第１フレーム部６１および第２フレーム部６２と同様の直線状の形状であり、第１パネル部材５２の第２端部５６に合致する形状である。第６フレーム部６６は、第２固定部５０の嵌合構造に嵌合する被嵌合構造を有しており、第６フレーム部６６の被嵌合構造と第２固定部５０の嵌合構造とが嵌合した状態でネジ止めされ第１パネル部材５２と第６フレーム部６６とが固定される。
【００６０】
以上の第１６ステップＳ１６から第１９ステップＳ１９（支持フレーム固定ステップ）により、第１パネル部材５２の４方が支持フレーム６によって閉じられる。なお、この場合、支持フレーム６は第１パネル部材５２と同様の正方形の外形となる。
次に、第２０ステップＳ２０（隙間閉塞パネル固定ステップ）において、第１パネル部材５２の固定が行われる。ここでは、設置方法１の第８ステップＳ８と同様に、第１パネル部材５２すなわち隙間閉塞パネル５が天井面ＣＬに固定される。
【００６１】
なお、第１フレーム部６１から第４フレーム部６４が第１パネル部材５２に取り付けられた後に第１パネル部材５２が天井面ＣＬに固定されてもよく、第１パネル部材５２が天井面ＣＬに固定された後に第１フレーム部６１から第４フレーム部６４が第１パネル部材５２に取り付けられてもよい。また、各フレーム部６１，６２，６５，６６の一部のみが第１パネル部材５２に取り付けられ、第１パネル部材５２が天井面ＣＬに固定された後に残りのフレーム部材が第１パネル部材５２に取り付けられてもよい。
【００６２】
そして、第２１ステップＳ２１において断熱材５１の取付が行われ、第２２ステップＳ２２（輻射パネル設置ステップ）において輻射パネル１の設置が行われ、第２３ステップＳ２３において外フレーム７の取付が行われる（図８（ｂ）−（ｄ）参照）。これらは設置方法１の第１３ステップＳ１３から第１５ステップＳ１５までと同様である。
＜特徴＞
（１）
この空気調和機１００では、温度調整された空気が吹出口３１から輻射パネル１の内部空間ＩＳに送られる。輻射パネル１は所定の輻射率を有する素材で形成されているため、温度調整された空気によって輻射パネル１の温度が調整されることによって、その表面から輻射が生じる。また、輻射パネル１を形成する素材は繊維系材料であるため、内部空間ＩＳの圧力が室内ＲＳの圧力よりも大きくなると、輻射パネル１の繊維の隙間から温度調整された空気が室内ＲＳへと吹き出される。これにより、輻射と吹出しとの併用によって室内ＲＳの温度調整を行うことができ、吹き出しのみによって温度調整が行われる場合よりも、穏やかな空気の吹き出しによって室内ＲＳの温度調整を行うことができる。また、輻射パネル１から吹き出される空気は、繊維の隙間から吹き出されるため穏やかな空気の流れとなる。このため、ドラフト感少なく室内ＲＳの温度調整を行うことができ、室内ＲＳの居住者にとって快適な温度調整を行うことができる。
【００６３】
（２）
上記のような空気調和機１００においては、ドラフト感少なく室内ＲＳの温度調整を行うために、輻射パネル１は比較的大きな面積を有することが望ましい。輻射パネル１が平面的に大きなものである場合、その内部を十分に空気で満たすことが困難である。例えば、輻射パネル１の一方の端部に吹出口が取り付けられ、温度調整された空気が輻射パネル１の一方の端部から内部に送られる場合は、他方の端部まで空気を十分に到達させることが困難である。また、他方の端部まで空気を十分に到達させるために空気の流速を増大させると、吹出口３１近傍に負圧が生じて逆に室内ＲＳの空気が輻射パネル１の内部に吸い込まれる恐れがある。
【００６４】
しかし、この空気調和機１００では、上記のように、吹出口３１が輻射パネル１の中央近傍に設けられているため、温度調整された空気は輻射パネル１の中央部分から輻射パネル１の内部へ送られる。これにより、温度調整された空気が輻射パネル１の端部まで容易に到達することができる。
（３）
この空気調和機１００では、支持フレーム６が隙間閉塞パネル５に固定され、隙間閉塞パネル５が天井面ＣＬに固定される。隙間閉塞パネルＣＬは板状の形状を有しネジ穴が多数設けられるため、隙間閉塞パネル５を天井面ＣＬに容易に固定することができる。すなわち、隙間閉塞パネル５が天井面ＣＬに合わせられた状態で、下地材８２の位置と一致するネジ穴にネジを通し隙間閉塞パネル５と天井面ＣＬとを固定する。これにより、隙間閉塞パネル５を容易に下地材８２に固定することができる。このように、この空気調和機１００では、隙間閉塞パネル５および支持フレーム６の設置が容易である。また、隙間閉塞パネル５が下地材８２へ固定されるため、強固な固定が可能である。
【００６５】
（４）
この空気調和機１００では、部屋の大きさや必要な温度調整能力に応じて輻射パネル１の大きさを選択し、選択された輻射パネル１の大きさに応じて隙間閉塞パネル５を構成するパネル部材５２，５３の追加の有無を決定することができる。また、選択されたパネル部材５２，５３に応じてパネル部材５２，５３の端部を閉じるフレーム部６３−６６を選択することができる。これにより、異なる大きさの輻射パネル１を容易に設置することができる。
【００６６】
（５）
この空気調和機１００では、輻射パネル１の向きも自由に選択可能である。すなわち、図９に示すように、第１パネル部材５２の取付時に第１パネル部材５２を図４（ａ）とは異なる向きに取り付ける。例えば、図９（ａ）では、第１パネル部材５２は、図４（ａ）の第１パネル部材５２と９０度異なる向きに取り付けられている。そして、図９（ｂ）に示すように、第２パネル部材５３および第３パネル部材５４を追加して第１パネル部材５２に組み合わせることにより、設置方法１とは異なる向きに隙間閉塞パネル５が取り付けられる。これにより、輻射パネル１を設置方法１とは異なる向きに設置することが可能である。図９（ｃ）−図９（ｅ）に示す他の工程については、図４（ｃ）−図４（ｅ）に示す各工程と同様である。
【００６７】
なお、第１パネル部材５２は正方形であるため、第１パネル部材５２の取付方向を変更するのではなく、第１フレーム部６１および第２フレーム部６２の取付位置を変更することによっても、上記と同様に、設置方法１とは異なる方向に隙間閉塞パネル５を取り付けることができる。
（６）
この空気調和機１００では、吹出しチャンバー用開口３２として天井面ＣＬに設けられる開口が比較的小さくてもよいため、施工工事が簡易である。すなわち、輻射パネル１を天井面ＣＬに取り付けるために輻射パネル１と同じ大きさの開口が天井面ＣＬに設けられる場合、天井面ＣＬに大きな開口を穿つ必要があるため施工工事が困難となる。しかし、この空気調和機１００では、吹出しチャンバー用開口３２が比較的小さいため、吹出しチャンバー用開口の施工工事が容易である。
【００６８】
（第２実施形態）
上記の第１実施形態では、支持フレーム６と隙間閉塞パネル５とが別体であり空気調和機１００の設置時に支持フレーム６が隙間閉塞パネル５に固定されているが、支持フレーム６の少なくとも一部が、隙間閉塞パネル５と一体的に形成されていてもよい。
例えば、第１フレーム部６１と第２フレーム部６２とが予め第１パネル部材５２に一体的に形成される。この場合、第１フレーム部６１と第２フレーム部６２と第１パネル部材５２とが一体成型されていてもよく、また、第１フレーム部６１と第２フレーム部６２とが第１パネル部材５２にネジ止めや接着、溶接等によって予め一体的に固定されていてもよい。
【００６９】
また、第２パネル部材５３と第３フレーム部６３、第３パネル部材５４と第４フレーム部６４に関しても同様である。
この場合、上記の設置方法１や設置方法２において、第１フレーム部６１の固定、第２フレーム部６２の固定、第３フレーム部６３の固定、第４フレーム部６４の固定の各工程が省略され、設置工程を簡略化することができる。
【００７０】
＜他の実施形態＞
（１）
上記の実施形態では、支持フレーム６は樹脂製であるが、板金製であってもよい。ただし、軽量化の観点からは樹脂製であることがより望ましい。
（２）
上記の実施形態では、輻射パネル１を形成する繊維系材料の輻射率は０．９であるが、０．６以上の輻射率であればよい。ただし、輻射による温度調整を向上させる観点からは０．９以上であることがより望ましい。
【００７１】
（３）
第２パネル部材５３および第３パネル部材５４に加えてさらに別のパネル部材が追加されてもよい。
（４）
上記の実施形態では、温度調整ユニット２の下面に吹出しチャンバー３が取り付けられているが、温度調整ユニット２が吹出しチャンバー３から離れた位置に設けられ、吹出しチャンバー３と温度調整ユニット２とがダクトによって接続されてもよい。これにより、温度調整ユニット２から吹き出された温度調整された空気はダクトを通って吹出しチャンバー３に送られ、吹出口３１から吹き出される。
【００７２】
（５）
上記の実施形態では、隙間閉塞パネル５はネジによって天井面ＣＬに固定されているが、釘やボルト・ナットなどの他の固定手段によって固定されてもよい。
（６）
上記の実施形態では、吹出しチャンバー用開口３２は正方形であるが、長方形や円形など他の形状であってもよい。
【産業上の利用可能性】
【００７３】
本発明によれば空気調和機の設置を容易にすることができ、空気調和機および空気調和機の設置方法として有用である。
【図面の簡単な説明】
【００７４】
【図１】空気調和機を室内側から見た斜視図
【図２】空気調和機の構成を示す側面断面図
【図３】空気調和機の設置方法１を示す模式図
【図４】空気調和機の設置方法１を示す模式図
【図５】空気調和機の設置方法１を示すフローチャート
【図６】空気調和機の設置方法１を示すフローチャート
【図７】空気調和機の設置方法２を示すフローチャート
【図８】空気調和機の設置方法２を示す模式図
【図９】空気調和機の他の設置方法を示す模式図
【符号の説明】
【００７５】
１        輻射パネル
２        温度調整ユニット
３        吹出しチャンバー（吹出部）
５        隙間閉塞パネル
６        支持フレーム
７        外フレーム
３１      吹出口
３２      吹出しチャンバー用開口（開口）
５１      断熱材
５２      第１パネル部材
５３      第２パネル部材
５５      第１端部
５９      第１固定部（固定部）
６５      第５フレーム部（第１部材）
１００    空気調和機
ＣＬ      天井面
ＲＳ      室内
【図１】
2006300427.tif 000003
【図２】
2006300427.tif 000004
【図３】
2006300427.tif 000005
【図４】
2006300427.tif 000006
【図５】
2006300427.tif 000007
【図６】
2006300427.tif 000008
【図７】
2006300427.tif 000009
【図８】
2006300427.tif 000010
【図９】
2006300427.tif 000011